(57)【要約】【課題】ヨガマット等のトレーニングマットを手軽に清浄することのできるトレーニングマット清浄機を提供する。【解決手段】トレーニングマット清浄機としてのヨガマット清浄機１は、清浄部４０が筐体１０内に配設され、挿入口部２１と排出口部２２とが前面部に配設され、挿入口部２１から挿入されたトレーニングマットとしてのヨガマットＭは、筐体１０内において清浄部４０を通過し、排出口部２２から当該筐体１０外へと排出される。【選択図】図１
0003235017.tif 000002
【実用新案登録請求の範囲】
【請求項１】
トレーニングマットを清浄化するトレーニングマット清浄機であって、
トレーニングマットを清浄化する空間を内部に有し、かつ前面部および上面部を有する筐体を備え、
前記筐体は、トレーニングマットが挿入される挿入口部と、前記トレーニングマットが排出される排出口部と、を具備し、
前記挿入口部は、所定の床面に設置された状態で当該筐体の前面部又は上面部に配置されており、
前記排出口部は、所定の床面に設置された状態で当該筐体の前面部又は上面部に配置されており、
前記筐体の内部には、
前記トレーニングマットを清浄する清浄部と、
前記挿入口部から挿入されたトレーニングマットを、前記清浄部を通過させて前記排出口部へ移送する移送手段と、
が配置されてなる
ことを特徴とするトレーニングマット清浄機。
【考案の詳細な説明】
【技術分野】
【０００１】
本考案は、ヨガ・ストレッチ・筋力トレーニング・リハビリ等に使用するトレーニングマットを自動的に清浄することのできるトレーニングマット清浄機に関する。
【背景技術】
【０００２】
例えば特許文献１に開示されているようなヨガマットは、様々な姿勢を維持するヨガにおいて好適なグリップ力を得ることができることから、個人で所有していたりヨガ教室等で大量に所有したりされている。
【先行技術文献】
【特許文献】
【０００３】
【特許文献１】実用新案登録第３１４４７２４号公報
【考案の概要】
【考案が解決しようとする課題】
【０００４】
ヨガマットは、その上で様々な運動を行うことから汗等が付着しやすい。特にヨガ教室等で複数人が同じヨガマットを使用するような環境にあっては使用ごとの清浄が非常に手間となる。
【０００５】
また、多くの施設では、ヨガマットの表面は拭き取りなどの作業を行うが、裏面については何ら対策されていないことも問題となっている。
【０００６】
さらに、不特定多数の利用者が使用するヨガマットは、除菌やウイルス不活性化などの感染症対策が特に必要である。
【０００７】
そこで本考案は、ヨガマット等のトレーニングマットを手軽に清浄することのできるトレーニングマット清浄機を提供することを目的とする。
【課題を解決するための手段】
【０００８】
本考案は、トレーニングマットを清浄化するトレーニングマット清浄機であって、トレーニングマットを清浄化する空間を内部に有し、かつ前面部および上面部を有する筐体を備え、前記筐体は、トレーニングマットが挿入される挿入口部と、前記トレーニングマットが排出される排出口部と、を具備し、前記挿入口部は、所定の床面に設置された状態で当該筐体の前面部又は上面部に配置されており、前記排出口部は、所定の床面に設置された状態で当該筐体の前面部又は上面部に配置されており、前記筐体の内部には、前記トレーニングマットを清浄する清浄部と、前記挿入口部から挿入されたトレーニングマットを、前記清浄部を通過させて前記排出口部へ移送する移送手段と、が配置されてなることを特徴とするトレーニングマット清浄機である。
【０００９】
かかる構成にあっては、トレーニングマットを上記挿入口部から挿入するだけで前記筐体内部において清浄化が順次自動的に行われ、そして前記排出口部から当該トレーニングマットが排出されるため、非常に手軽に使用することができる。また、短時間で大量のトレーニングマットを清浄することができる。さらに、挿入口部と排出口部が筐体の前面部又は上面部に少なくとも配置されているため、例えば筐体の背面部を壁に対向させて当該トレーニングマット清浄機を壁際に置いて使用でき、大きな場所を占有することもない。
【考案の効果】
【００１０】
本考案のトレーニングマット清浄機は、トレーニングマットを手軽に清浄することができるという優れた効果がある。
【図面の簡単な説明】
【００１１】
【図１】実施例にかかるヨガマット清浄機の概念図である。
【考案を実施するための形態】
【００１２】
以下に本考案を、例えばヨガマットに適用した実施例を詳細に説明する。なお、本考案は、下記に示す実施例に限定されることはなく、適宜、設計変更が可能である。
【００１３】
ヨガマット清浄機１は、図１に示すように、前面部、底面部、側面部、後面部、及び上面部を備えた筐体１０を具備している。
【００１４】
また、筐体１０には、外部と内部とを連通する開口部が２箇所設けられており、当該開口部がそれぞれ、ヨガマットＭが挿入される挿入口部２１と、ヨガマットＭが排出される排出口部２２とされている。なお、本実施例では、挿入口部２１および排出口部２２は、いずれも筐体１０の前面部に配設されている。
【００１５】
また、筐体１０の内部には、後述する清浄部４０が配設されている。
【００１６】
また、筐体１０の内部の各所には、送りローラ３１が配置され、送りローラ３１によってヨガマットＭが所定の方向に送り出される。
【００１７】
すなわち、挿入口部２１から筐体１０内に挿入されたヨガマットＭは、まず清浄部４０に送られる。
【００１８】
清浄部４０においては、ヨガマットＭの表裏両面に所定の清浄液が吹きかけられ、適宜、清浄液が拭き取りなどによって除去されて、当該表裏両面が同時に清浄される。なお、ここで採用される清浄液は、除菌及びウイルスの不活性化が可能なものであり、例えばアルカリ電解水又はそれに類するものが採用可能である。もちろん、清浄液の機能として、マットに付着した汗汚れ、皮脂汚れ、あるいは化粧品汚れを除去できるものが好適である。また、清浄液の性質は、人体および環境に対して無害であることが好ましい。
【００１９】
なお、清浄部４０では、適宜、脱液や乾燥が行われてもよいし、その他の処理がされてもよい。
【００２０】
清浄部４０を通過したヨガマットＭは、次に排出口部２２へ移送されて、外部へ排出される。
【００２１】
また、筐体１０内には、清浄部４０で使用される清浄液を貯留する清浄液タンク７１と、除去された廃液を貯留する廃液タンク７２とが、取り換え可能に配設されている。
【００２２】
さらに筐体１０内には、外部電源１００からの電力の供給を受けて作動するモーター等の動力部が配設されている。なお、動力部が発生させた動力により駆動する送りローラ３１によって、本考案に係る移送手段が構成される。
【００２３】
このように構成されたヨガマット清浄機１は、適度な高さを備えているため立ったまま操作することに向いている。
【００２４】
さらに、例えば屋内において壁際に置いたままで使用でき、空間を効率的に使用できる。
【００２５】
清浄液タンク７１及び廃液タンク７２が配設されているため、ヨガマット清浄機１を設置するにあたって事前に水回り工事等を行う必要がなく、水道設備の有無に関わらずヨガマット清浄機１を設置して使用することができる。
【００２６】
清浄部４０において、例えばヨガマットＭに清浄液を吹き付けるのではなく、清浄液に浸漬し、その状態でローラによって清浄する構成であってもよい。
【００２７】
さらに、適宜、紫外線照射部を別途設けてもよい。これにより殺菌効果や滅菌効果の向上を図ることができる。
【００２８】
また、ヨガマットＭの送りスピードを可変としてもよく、遅くする場合は、清浄部４０に位置する時間を長くして汚れをしっかり落とすことができ、一方、通常時よりも早くする場合は、大量のヨガマットＭを短時間で処理することができる。
【００２９】
外部電源１００によって電力を供給する以外にも、内部にバッテリーを搭載して当該バッテリーの電力によって駆動する構成であってもよい。この場合、さらに使用する場所の制限がなくなり、例えば屋外でも使用することができる。
【符号の説明】
【００３０】
１            ヨガマット清浄機（トレーニングマット清浄機）
１０          筐体
２１          挿入口部
２２          排出口部
３１          送りローラ
４０          清浄部
７１          清浄液タンク
７２          廃液タンク
１００        外部電源
Ｍ            ヨガマット（トレーニングマット）
【図１】
0003235017.tif 000003